(57)【要約】      （修正有）【課題】素早く引き出し、収納することができる、カニューラ延長チューブ巻取り機と、カニューラ延長チューブ巻取り機の係止具を提供する。【解決手段】ケーシング２と、ケーシング２の内部に回転可能に保持されたドラム４と、ドラム４に巻き付け可能なカニューラ延長チューブ５を備え、延長チューブ巻取り機１のドラム４にスポンジ９を巻回してドラム４の径を大きくし、ドラム回転軸３内の酸素供給路１２のドラム側開口部にＴ型連結管を介して延長チューブ５を接続し、他の開口部に自在継手１７、２３を介して酸素濃縮装置からチューブを用いて、接続チューブを接続したのである。【選択図】図１
0003223012.tif 000002
【実用新案登録請求の範囲】
【請求項１】
ケーシングと、ケーシングの内部に回転可能に保持されたドラムと、当該ドラムに巻き付け可能な酸素供給用延長チューブを備えた、延長チューブ巻取り機であって、
ドラムに弾力性を有するスポンジを巻回してドラムの径を大きくし、
ドラム回転軸内の酸素供給路のドラム側開口部にT型連結管を介して延長チューブを接続し、
他の開口部に自在継手を介して酸素濃縮装置接続チューブを接続したことを特徴とする酸素供給用延長チューブ巻取り機。
【請求項２】
ケーシングの延長チューブ引き出し開口部近傍にローラーを取り付けたことを特徴とする請求項１記載の酸素供給用延長チューブ巻取り機。
【請求項３】
ケーシングの底面付近に、酸素供給用延長チューブ巻取り機係止ピンの係止溝を有する係止部材を取り付けたことを特徴とする請求項１又は２記載の酸素供給用延長チューブ巻取り機。
【請求項４】
請求項３記載の、酸素供給用延長チューブ巻取り機係止ピンの係止溝に係止するピンを立設させた酸素供給用延長チューブ巻取り機用係止具。
【請求項５】
請求項３記載の、酸素供給用延長チューブ巻取り機係止ピンの係止溝に係止するピンを立設させた上板と、上下、左右、前後に伸縮可能なフレームから構成される、酸素供給用延長チューブ巻取り機載置台。
【考案の詳細な説明】
【技術分野】
【０００１】
本考案はカニューラ延長チューブを巻き取る装置に関するものである。より詳しくは、在宅で酸素吸入療法を受ける患者が使用する鼻用カニューラと、酸素ボンベ又は酸素濃縮装置をつなぐ延長チューブを巻取り収納する、延長チューブ巻取り機に関する考案である。
【背景技術】
【０００２】
喘息や肺気腫症などの呼吸器系疾患に苦しむ患者が増加する傾向にあるが、効果的な治療法のひとつとして酸素吸入療法があり、在宅でも行えることから次第に普及するようになっている。使用者は、鼻用カニューラを介して酸素発送装置から供給される酸素ガス又は酸素濃縮空気を吸入しており、鼻用カニューラを耳にかけ、延長チューブで鼻用カニューラと酸素発生装置を連結している。
【０００３】
在宅で酸素吸入療法が行えることは便利な反面、常に酸素ボンベや酸素濃縮装置      
からの吸入を受ける必要があり、トイレや洗面へも鼻用カニューラを装着したまま移動する必要がある。日常生活を円滑に過ごせるように延長チューブの長さは十分取られており、その長さは１０ｍから２０ｍにも及ぶ。
【０００４】
自力で移動が可能な、酸素吸入器の使用者は長い延長チューブを床に束ねて置いたり、壁にフックを取り付けて係止させたり、などの工夫によってチューブが絡まらないようにし、誤ってチューブを踏んだり、チューブによる躓きを防止している。
【０００５】
屋内を色々な方向へ移動する場合は、その都度、延長チューブを抱えてその場所まで引き伸ばす必要がある。近い場所への移動では床に束ねたチューブはそれほど散らばることがないが、遠くの場所や角を曲がるときなどは必要以上にチューブを引き出してしまう。用事を済ませて戻ってくると、束ねておいた山は崩れており、再び束ねるのに時間を要し、束ねる際にネジレが生じることが多かった。
【０００６】
このような面倒から、短時間の場合は体への負担を承知の上で鼻用カニューラを外して所定の場所まで移動して用事をすることもあった。
【０００７】
一方、最近の医療では、単なる治療を受けるだけでなく、患者の生活の質向上を図ることが求められるようになっている。
【０００８】
そこで上記不便な思いを解消し、在宅で治療を受けながらも快適に日常生活を過ごすために開発された、医療用酸素ボンベや酸素濃縮装置に接続するビニール製チューブ収納器具の考案がある（特許文献１）。
【先行技術文献】
【特許文献】
【０００９】
【特許文献１】実用新案登録第３１７０３０１号公報
【考案の概要】
【考案が解決しようとする課題】
【００１０】
本願では、必要に応じ伸ばした延長チューブを素早く回収することができ、各目的地までの必要な距離をチューブに目印をつけることで、適正な距離を迅速に引き出し、又巻取りも簡単に行うことができるカニューラ延長チューブ巻取り機と、カニューラ延長チュー
ブ巻取り機の係止具を提供することを目的とする。
【課題を解決するための手段】
【００１１】
上記課題を解決するために、本考案ではケーシングと、ケーシングの内部に回転可能に保持されたドラムと、当該ドラムに巻き付け可能なカニューラ延長チューブを備えた、延長チューブ巻取り機のドラムにスポンジを巻回し、ドラム回転軸内の酸素供給路のドラム側開口部にT型連結管を介して延長チューブを接続し、他の開口部に自在継手を介して酸素濃縮装置からチューブを用いて、接続チューブを接続したのである。
【００１２】
また、請求項２では、ケーシングの延長チューブ引き出し開口部近傍にローラーを取り付けたのである。
【００１３】
請求項３では、ケーシングの底面部に係止部材を取り付け、当該係止部材に、酸素供給用延長チューブ巻取り機係止ピンの係止溝を形成したのである。
【００１４】
請求項４では、ケーシングの底面部に取り付けた係止部材に形成された係止溝に係止するピンを立設させた、酸素供給用延長チューブ巻取り機用取り付け具について記載している。
【００１５】
また、請求項５では、ケーシングの底面部に取り付けた係止部材に形成された係止溝に係止するピンを立設させた上板と、上下、左右、前後に伸縮可能なフレームによって酸素供給用延長チューブ巻取り機載置台を形成したのである。
【考案の効果】
【００１６】
延長チューブを素早く、且つ簡単に引き出しまた、巻き戻して収納することができる。
【００１７】
延長チューブをそのまま床に置いたり、束ねたりすることがないため、延長チューブを踏んだり、延長チューブに躓いたりすることがない。
【００１８】
目的地までの距離を示す目印を延長チューブにつけたため、必要な長さの延長チューブを迅速に引き出すことができて無駄がない。
【００１９】
１８０度回動可能な固定具を使用することで、延長チューブ巻取り機が転倒しないだけでなく、目的方向に向きを自在に変えて延長チューブをスムーズに引き出すことができる。
【００２０】
また、巻取りドラムにはスポンジを巻回して径を大きくしたので延長チューブの巻数が少なくなり、チューブに係る外圧が最小に抑制されている。弾力性のあるスポンジの使用でチューブの変形が生じにくく、酸素が通りにくくなるなどの危険性が低い。
【００２１】
さらに延長チューブを保護するためのローラーを引き出し口付近に取り付けたので、繰り返しの使用でも延長チューブを傷つけることがないのである。
【００２２】
延長チューブのドラム側連結管をT型とし、延長チューブの付替えを自在としたので、ハンドルの取り付け位置が巻取り機の左右どちら側であっても巻取り操作が行える。
【００２３】
底面に、係止部材としてのはめ込み板を取り付けて、はめ込み板係止ピンを有する連結具で床、酸素濃縮装置、家具に連結することで延長チューブ巻取り機の位置ズレを防止することができる。又はめ込み板係止ピンを支点として延長チューブ巻取り機を１８０度所望方向へ回動することができる。
【図面の簡単な説明】
【００２４】
【図１】カニューラ延長チューブ巻取り機本体の左側面断面図である。
【図２】巻取り機の正面側断面図である。
【図３】同、正面図である。
【図４】同、底面図である。
【図５】同、左側面図である。
【図６】延長チューブ巻取り機用床面取り付け具の正面図。
【図７】同、斜視図。
【図８】酸素濃縮装置上部設置台の斜視図。
【図９】同、正面図。
【図１０】酸素濃縮装置の形状を示す説明図。
【図１１】酸素濃縮装置への延長チューブ巻取り機取り付け具の平面図。
【図１２】同、正面図。
【図１３】同、右側面図。
【図１４】高所側面用延長チューブ巻取り機取り付け具の正面図。
【図１５】同、斜視図。
【考案を実施するための形態】
【００２５】
カニューラ延長チューブ（以下、「延長チューブ」と略す。）巻取り機１（以下「巻取り機」と略す。）はケーシング２と当該ケーシング２の内部に回転可能に回転軸３に保持されたドラム４と、ドラム４に巻きつける延長チューブ５からなり、ドラム４内に設けられた酸素供給路のドラム側開口部と延長チューブ５はT型連結管で接続し、酸素供給路の酸素濃縮装置側開口部は、自在継手を介して酸素濃縮装置と接続する。
【００２６】
巻取り機１から引き出された延長チューブ５は鼻用カニューラ６に接続されて、鼻用カニューラ６を装着した使用者に酸素を供給する。
【００２７】
ケーシング２は、全体に扁平な直方体の形状であって、延長チューブ５を引き出すための開口部８と開口部近傍で延長チューブ５の引き出し及び収納をスムーズにするためのローラー７を有する。この開口部から延長チューブ５がケーシング２の外部へと伸びている。延長チューブ５はその両端部においてそれぞれ鼻用カニューラ６とT型連結管１４に接続されている。
【００２８】
ドラム４は巻き付け部４aと、その両端に固定され、互いに相対する一対のフランジ部４bを有する。巻き付け部４aに設けられたスポンジ係止具4cにスポンジ９が係止されている。
【００２９】
鼻用カニューラの多くは、塩化ビニール製の軟質チューブを使用しているが、延長チューブは、これよりも硬質な素材で形成されていることが一般的でよじれや潰れが生じにくくはなっているが、本願では、ドラムを大口径に形成すると共に、ドラムにスポンジを巻回することで、ドラムに巻きつけられた延長チューブが潰れて酸素が供給されにくくなる危険性を除去する工夫を施している。
【００３０】
ドラム４にスポンジ９を巻回することでドラム４は大口径となり、延長チューブ５への負荷を可及的に低減することができるのである。すなわち、ドラムの直径が大きくなると、延長チューブの巻数が少なくなり、延長チューブへの外圧を最小限に抑えることができると共に、スポンジの使用で外圧が延長チューブだけにかかることを防止する結果、延長チューブの変形やよじれ、重なりを少なくして酸素流量の低下を防げるのである。
【００３１】
ドラム４はフランジ部４ｂと一体的に取り付けた円板１９を回転させることにより回転操作することができる。円板１９にはこれを回転操作するためのハンドル２０が取り付けられている。                                                                    
【００３２】
延長チューブ５にはビニールテープなどを巻回することで目印１０、１１を取り付けた。これらの目印は、目的の場所までの最適な延長チューブ５の引き出し長さを示すものである。例えば目印１０はトイレまでの引き出し距離を示し、目印１１は隣の部屋までの引き出し距離を示す。目的地までの引き出し距離を示す目印を延長チューブ５に付すことで、移動のたびに目算で延長チューブを引き出すことなく、所定の目印が出てくるまで迅速に引き出すことができるのである。
【００３３】
次に、酸素濃縮装置から供給される酸素の流れについて図１、図２を参照しながら説明する。斜線で示した通路がドラム内に設けられた酸素供給路２１と自在継手に設けられた酸素供給路２４である。図２は本願の巻取り機１を正面から見た内部構造を示す説明図である。
【００３４】
ドラム４の周縁部に位置する、酸素供給路の延長チューブ取り付け側開口部２１ａにはタケノコ状連結管１２が取り付けられ、T型連結管１４が連結用チューブ１３を介して気密に取り付けられている。延長チューブ５の取り付け口にT型連結管１４を使用し、いずれかの連結部に取り付けることで、時計回り、反時計回り、いずれの延長チューブ巻取り方向にも対応できるのである。使用していないT型連結管の連結部へはキャップなどを嵌合して酸素がもれないようにする。
【００３５】
一方、ドラム内酸素供給路２１の他端部２１ｂはワッシャ２２を介して自在継手２３を取り付け、自在継手のハズレ防止のためにスナップリングを取り付け、接続部にはＯリングを備えて気密性を確保する。
【００３６】
自在継手２３の他端部には、他の自在継手１７を取り付け、酸素濃縮装置に取り付けられた酸素チューブ１５をタケノコ状連結管１６を介して接続し、気密性を担保するためにＯリング１８を取り付ける。タケノコ状連結管１６は１８０度首振り可能である。
【００３７】
このようにして、ドラム内酸素供給路２１と自在継手内供給路２４が気密性を保ちながら連通し、酸素濃縮装置から延長チューブ５へと酸素を供給しているのである。
【００３８】
図３に示すように巻取り機１のケーシング正面側の四隅には酸素濃縮装置への取り付け部２５が突出形成されており、それぞれ、酸素濃縮装置への取り付け用ピン穴２５ａが形成されている。
【００３９】
酸素濃縮装置に取り付けピンを取り付けることができる場合は、酸素濃縮装置の壁面に取り付けピンを固着する。一方、酸素濃縮装置はレンタルされている場合が多いため勝手にねじなどを取り付けることができない場合は、取り外し自在の吸盤などを使用して巻取り機１を酸素濃縮装置に固定するのである。さらに、小物入れ２６を備えると、酸素供給量の調整を行うリモコンや取扱説明書などを収納することができ、便利である。
【００４０】
巻取り機１のケーシング２の上面には持ち運び用提げ手２７がとりつけられており、ケーシング２の上面に設けた確認窓２８から、延長チューブ５の偏りがないかなど、巻取り状態を確認しながら収納作業をすることができるのである（図２）。
【００４１】
ケーシング２の下方には延長チューブ引き出し口８が両方に開口されており開口部近傍にローラー７の取り付け部材２９が設けられている。突起状のローラー取り付け部材２９
にローラー７の支軸をはめ込むのである。延長チューブ５の引き出される方向は使用状態によって異なるので、どちらへも引き出せるようにローラー７は簡易に取り外すことが可能である。ローラー７を取り付けることで、延長チューブの引き出し及び収納が容易且つ円滑になり、チューブの傷み防止効果も有するのである。
【００４２】
一方、ローラー７を取り付けていない開口部近傍には、巻取り機１を係止するためのピン溝３０ａを形成した、係止部材となるはめ込み板３０を取り付ける。
【００４３】
請求項３に記載した、延長チューブ巻取り機１は、設置する床、載置する台、家具などへの係止部材を備えている。その実施の形態のひとつが、このはめ込み板である。
【００４４】
次に、このはめ込み板を使用して行う種々の係止方法について説明する。
【００４５】
図６に表したＬ型金具３１の垂直部分３１ａを室内の柱や壁、水平部分３１ｂを床に取り付ける。水平面３１ｂには取り付けピン３２が立設されており、取り付けピン３２をはめ込み板３０に形成した取り付け溝３０ａに挿入するのである。当該係止部材を介して延長チューブ巻取り機１は床面に緩やかに固定されると共に、取り付け溝３０ａに挿入した取り付けピン３２を支点として巻取り機１は１８０度回動自在となり、所望移動方向に巻取り機１の方向を変えて、延長チューブ５をスムーズに引き出すことができるのである。
【００４６】
図８は下に酸素濃縮装置を収納し、上部に延長チューブ巻取り機を設置するための専用台３３の斜視図である。木製又はスチール製パイプから構成される専用台３３は４本の立設パイプ３４上部に天板３５を取り付け、それぞれの立設パイプ３４は高さ調節可能に上下動自在となっている。一方、下部フレーム３６内には延長パイプ３７がスライド自在に収納されており、酸素濃縮装置の奥行きに合わせて延長パイプ３７を引き出し奥行きの調節を行う。
【００４７】
下部フレーム３６及び延長パイプ３７には載置板３８を取り付け、酸素濃縮装置の４輪のキャスターを載置する。酸素濃縮装置はある程度の重量を有するので、その重みで専用台３３は一定の場所に固定されるのである。
【００４８】
一方、対向する立設するパイプ間に取り付けた上部フレームは一対の角パイプ３９−３９を連結パイプ４０を介して連結してなり、連結パイプに天板３５をボルトで固着する。角パイプ３９−３９を連結パイプに添って左右にスライドさせることで専用台の幅の調節が可能となる（図９）。
【００４９】
天板３５の略中央に取り付けピン４１を立設し、当該ピン４１を延長チューブ巻取り機１の底面に取り付けたはめ込み板３０の溝３０ａに挿通するのである。この専用設置台を使用することで酸素濃縮装置の上部空間を有効利用でき、巻取り機１の置き場所に困ることがない。さらに、上下に伸縮自在な専用台３３の上に巻取り機１を載置することで巻取り機１の高さ調節が行え、さらに、種々の奥行き、幅を有するいずれの酸素濃縮装置へも対応可能となるのである。
【００５０】
続いて、酸素濃縮装置の重量を利用して延長チューブ巻取り機１を固定する部材について説明する。
【００５１】
図１０は、酸素濃縮装置への、巻取り機１の取り付け部材４２の取り付け状態を示している。
【００５２】
L型アングル４３に取り付けネジ４４を摺動させる横溝４３aを形成し、当該ネジ４４で
不等辺アングル４５−４５を、L型アングル４３に左右方向へ摺動自在に取り付ける。L型アングル４３の中央付近には、巻取り機１の底面に取り付けた、はめ込み板を係止させるピン４６を立設させたベース４７を固着するのである。不等辺アングル４５−４５を、載置させる酸素濃縮装置のキャスターの幅に合わせて左右に移動させ、所定の位置にネジで固定すると、酸素濃縮装置に巻取り機１が係止されると共に、ピン４６を支点として巻取り機１は１８０度回動自在となるのである。
【００５３】
足付き家具やキャスター付きテレビ台など床面から高い位置への取り付けに用いる高所側面用取り付け具４７は、L型金具の４９の垂直部分に伸縮用C型チャンネル４８を取り付け、袋ナット５０を緩めてC型チャンネル４８を上下動させ、取り付ける家具の高さに合わせて高さ調節を行うのである（図１４、１５）。
【産業上の利用可能性】
【００５４】
本願発明に係るカニューラ延長チューブ巻取り機は、酸素吸入器を使用する患者が家庭で使用することができる。
【符号の説明】
【００５５】
１、延長チューブ巻取り機           ２、ケーシング
３、回転軸                               ４、ドラム
５、延長チューブ                     ６、鼻用カニューラ
７、ローラー                             ８、延長チューブ出入開口部
９、スポンジ                             １０、１１、引き出し距離目印
１２、ドラム内酸素供給路           １３、連結用チューブ
１５、酸素チューブ                    １６、タケノコ状連結管
１７、２３、自在継手                   １８、Oリング
１９、円板                                ２０、ハンドル
２１、２４、酸素供給路                ２２、ワッシャ
２５、酸素濃縮装置取り付け部    ２６、小物入れ
２７、提げ手                             ２８、
２９、ローラー支承部材              ３０、はめ込み板
３１、４３、４９、L型金具             ３２、４１、４６、固定ピン
３３、巻取り機設置台                 ３４、立設パイプ
３５、天板                                ３６、下部フレーム
３７、延長パイプ                       ３８、キャスター載置台
３９、角パイプ                          ４０、連結管
４４、５０、取り付けネジ              ４５、不等辺アングル                 
４７、高所への取り付け具          ４８、C型チャンネル
５０、袋ナット
【図１】
0003223012.tif 000003
【図２】
0003223012.tif 000004
【図３】
0003223012.tif 000005
【図４】
0003223012.tif 000006
【図５】
0003223012.tif 000007
【図６】
0003223012.tif 000008
【図７】
0003223012.tif 000009
【図８】
0003223012.tif 000010
【図９】
0003223012.tif 000011
【図１０】
0003223012.tif 000012
【図１１】
0003223012.tif 000013
【図１２】
0003223012.tif 000014
【図１３】
0003223012.tif 000015
【図１４】
0003223012.tif 000016
【図１５】
0003223012.tif 000017